【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
第１解像度の多値画像を前記第１解像度より低い第２解像度の多値画像に変換した後に、前記第２解像度の多値画像から前記第１解像度の多値画像を復元する画像処理方法であって、
前記第１解像度の多値画像から前記第２解像度の多値画像への変換では、変換前の画素が位置する像域を表わす属性フラグに対応する変換を施した注目画素の画素データに対応付けて、変換の種別と変換結果を示す変換処理フラグを含む属性データを生成して保持し、
前記第２解像度の多値画像から前記第１解像度の多値画像への復元では、注目画素の画素データに対応付けて保持された属性データの変換処理フラグと該注目画素の周囲の画素の画素データとに対応して、該注目画素の画素データを複数画素からなる画素データに置き換えることを特徴とする画像処理方法。
【請求項２】
前記変換処理フラグは、フィルタ処理による解像度変換を施したことを示すフィルタ処理フラグと、解像度変換を施した結果がハーフトーンであることを示すハーフドットフラグとを含むことを特徴とする請求項１に記載の画像処理方法。
【請求項３】
前記属性データは、前記属性フラグを含むことを特徴とする請求項１に記載の画像処理方法。
【請求項４】
前記第１解像度の多値画像から前記第２解像度の多値画像への変換では、
前記属性フラグとしてイメージフラグがＯＮの場合、属性フラグが無い場合、又はグラフィックフラグがＯＮの場合を除いて、前記フィルタ処理による解像度変換を施し、
前記属性フラグとしてイメージフラグがＯＮの場合、又は属性フラグが無い場合には、間引き処理により解像度を変換し、
グラフィックフラグがＯＮの場合には、解像度変換の後の注目画素を注目画素の周辺の最大画素値に置き換えることを特徴とする請求項２に記載の画像処理方法。
【請求項５】
前記第２解像度の多値画像から前記第１解像度の多値画像への復元では、
前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の画素データに置き換え、
前記フィルタ処理フラグがＯＦＦ、又はハーフドットフラグがＯＦＦの場合、あるいは前記フィルタ処理フラグ及びハーフドットフラグがＯＮで、注目画素を含む予め決められたウィンドウ内の画素データの配置と予め準備されたパターンとのパターンマッチングが取れない場合には、該注目画素の画素データの値を維持して複数の画素の画素データに置き換えることを特徴とする請求項２に記載の画像処理方法。
【請求項６】
前記第２解像度の多値画像から前記第１解像度の多値画像への復元では、
注目画素に対応して出力する出力画素数を算出し、
前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の出力順位に対応して前記出力画素数だけの画素データに置き換え、
前記フィルタ処理フラグ及びハーフドットフラグがＯＮで、注目画素を含む予め決められたウィンドウ内の画素データの配置と予め準備されたパターンとのパターンマッチングが取れない場合には、該注目画素の周辺画素の画素データに対応して複数の画素の出力順位を設定し、該出力順位に対応して前記出力画素数だけの画素データに置き換え、
前記フィルタ処理フラグがＯＦＦ又はハーフドットフラグがＯＦＦの場合には、該注目画素の画素データの値を維持して複数の画素の画素データに置き換えることを特徴とする請求項２に記載の画像処理方法。
【請求項７】
前記出力画素数は、注目画素の画素データと、最大画素値と最低画素値との間を置き換える画素数に対応する数の範囲に分けて各範囲に割り当てられた、複数の閾値との比較から算出されることを特徴とする請求項６に記載の画像処理方法。
【請求項８】
前記第２解像度の多値画像から前記第１解像度の多値画像への復元では、更に、
前記フィルタ処理フラグとハーフドットフラグとに基づいて画像の背景領域の画素値と画像中の最大画素値とを抽出して、注目画素のフィルタ処理フラグとハーフドットフラグとに基づいて、該注目画素を背景領域の画素値と画像中の最大画素値とハーフドットの画素値との３値に変換し、
該３値のウィンドウパターンと予め準備されたパターンとのパターンマッチングを取ることを特徴とする請求項５または６に記載の画像処理方法。
【請求項９】
前記第１解像度は、前記第２解像度の整数倍であることを特徴とする請求項１乃至８のいずれか１つに記載の画像処理方法。
【請求項１０】
第１解像度の多値画像を前記第１解像度より低い第２解像度の多値画像に変換した後に、前記第２解像度の多値画像から前記第１解像度の多値画像を復元する画像処理装置であって、
前記第１解像度の多値画像から前記第２解像度の多値画像への変換では、変換前の画素が位置する像域を表わす属性フラグに対応する変換を施した注目画素の画素データに対応付けて、変換の種別と変換結果を示す変換処理フラグを含む属性データを生成して保持する解像度変換手段と、
前記第２解像度の多値画像から前記第１解像度の多値画像への復元では、注目画素の画素データに対応付けて保持された属性データの変換処理フラグと該注目画素の周囲の画素の画素データとに対応して、該注目画素の画素データを複数画素からなる画素データに置き換える解像度復元手段とを有することを特徴とする画像処理装置。
【請求項１１】
前記変換処理フラグは、フィルタ処理による解像度変換を施したことを示すフィルタ処理フラグと、解像度変換を施した結果がハーフトーンであることを示すハーフドットフラグとを含むことを特徴とする請求項１０に記載の画像処理装置。
【請求項１２】
前記属性データは、前記属性フラグを含むことを特徴とする請求項１０に記載の画像処理装置。
【請求項１３】
前記解像度変換手段は、
前記属性フラグとしてイメージフラグがＯＮの場合、属性フラグが無い場合、又はグラフィックフラグがＯＮの場合を除いて、前記フィルタ処理による解像度変換を施すフィルタ処理手段と、
前記属性フラグとしてイメージフラグがＯＮの場合、又は属性フラグが無い場合に、間引き処理により解像度を変換する間引き処理手段と、
グラフィックフラグがＯＮの場合に、解像度変換の後の注目画素を注目画素の周辺の最大画素値に置き換える最大画素値置換手段とを有することを特徴とする請求項１１に記載の画像処理装置。
【請求項１４】
前記解像度復元手段は、
前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の画素データに置き換えるパターン置換手段と、
前記フィルタ処理フラグがＯＦＦ、又はハーフドットフラグがＯＦＦの場合、あるいは前記フィルタ処理フラグ及びハーフドットフラグがＯＮで、注目画素を含む予め決められたウィンドウ内の画素データの配置と予め準備されたパターンとのパターンマッチングが取れない場合には、該注目画素の画素データの値を維持して複数の画素の画素データに置き換える画素データ置換手段とを有することを特徴とする請求項１１に記載の画像処理装置。
【請求項１５】
前記解像度復元手段は、
注目画素に対応して出力する出力画素数を算出する出力画素数算出手段と、
前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の出力順位に対応して前記出力画素数だけの画素データに置き換えるパターン順位置換手段と、
前記フィルタ処理フラグ及びハーフドットフラグがＯＮで、注目画素を含む予め決められたウィンドウ内の画素データの配置と予め準備されたパターンとのパターンマッチングが取れない場合には、該注目画素の周辺画素の画素データに対応して複数の画素の出力順位を設定し、該出力順位に対応して前記出力画素数だけの画素データに置き換える設定順位置換手段と、
前記フィルタ処理フラグがＯＦＦ又はハーフドットフラグがＯＦＦの場合には、該注目画素の画素データの値を維持して複数の画素の画素データに置き換える画素データ置換手段とを有することを特徴とする請求項１１に記載の画像処理装置。
【請求項１６】
前記出力画素数算出手段は、注目画素の画素データと、最大画素値と最低画素値との間を置き換える画素数に対応する数の範囲に分けて各範囲に割り当てられた、複数の閾値との比較から出力画素数を算出することを特徴とする請求項１５に記載の画像処理装置。
【請求項１７】
前記解像度復元手段は、更に、
前記フィルタ処理フラグとハーフドットフラグとに基づいて画像の背景領域の画素値と画像中の最大画素値とを抽出して、注目画素のフィルタ処理フラグとハーフドットフラグとに基づいて、該注目画素を背景領域の画素値と画像中の最大画素値とハーフドットの画素値との３値に変換する３値化手段と、
該３値のウィンドウパターンと予め準備されたパターンとのパターンマッチングを取るパターンマッチング手段とを有することを特徴とする請求項１４または１５に記載の画像処理装置。
【請求項１８】
前記第１解像度は、前記第２解像度の整数倍であることを特徴とする請求項１０乃至１７のいずれか１つに記載の画像処理装置。
【請求項１９】
第１解像度の多値画像を前記第１解像度より低い第２解像度の多値画像に変換する画像処理方法であって、
変換前の画素が位置する像域を表わす属性フラグに対応する変換を施した注目画素の画素データに対応付けて、変換の種別と変換結果を示す変換処理フラグを含む属性データを生成して保持することを特徴とする画像処理方法。
【請求項２０】
第１解像度の多値画像を前記第１解像度より低い第２解像度の多値画像に変換する画像処理装置であって、
変換前の画素が位置する像域を表わす属性フラグに対応する変換を施した注目画素の画素データに対応付けて、変換の種別と変換結果を示す変換処理フラグを含む属性データを生成して保持する解像度変換手段を有することを特徴とする画像処理装置。
【請求項２１】
請求項１乃至９のいずれか１項または請求項１９に記載の画像処理方法をコンピュータに実行させるためのプログラム。
【請求項２２】
請求項２１に記載のプログラムを記憶したコンピュータが読み取り可能な記憶媒体。
【手続補正２】
【補正対象書類名】明細書
【補正対象項目名】００１２
【補正方法】変更
【補正の内容】
【００１２】
上述した課題を解決するために、本発明の画像処理方法は、第１解像度の多値画像を前記第１解像度より低い第２解像度の多値画像に変換した後に、前記第２解像度の多値画像から前記第１解像度の多値画像を復元する画像処理方法であって、前記第１解像度の多値画像から前記第２解像度の多値画像への変換では、変換前の画素が位置する像域を表わす属性フラグに対応する変換を施した注目画素の画素データに対応付けて、変換の種別と変換結果を示す変換処理フラグを含む属性データを生成して保持し、前記第２解像度の多値画像から前記第１解像度の多値画像への復元では、注目画素の画素データに対応付けて保持された属性データの変換処理フラグと該注目画素の周囲の画素の画素データとに対応して、該注目画素の画素データを複数画素からなる画素データに置き換えることを特徴とする。
【手続補正３】
【補正対象書類名】明細書
【補正対象項目名】００１４
【補正方法】変更
【補正の内容】
【００１４】
また、前記第１解像度の多値画像から前記第２解像度の多値画像への変換では、前記属性フラグとしてイメージフラグがＯＮの場合、属性フラグが無い場合、又はグラフィックフラグがＯＮの場合を除いて、前記フィルタ処理による解像度変換を施し、前記属性フラグとしてイメージフラグがＯＮの場合、又は属性フラグが無い場合には、間引き処理により解像度を変換し、グラフィックフラグがＯＮの場合には、解像度変換の後の注目画素を注目画素の周辺の最大画素値に置き換える。
【手続補正４】
【補正対象書類名】明細書
【補正対象項目名】００１５
【補正方法】変更
【補正の内容】
【００１５】
また、前記第２解像度の多値画像から前記第１解像度の多値画像への復元では、前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の画素データに置き換え、前記フィルタ処理フラグがＯＦＦ、又はハーフドットフラグがＯＦＦの場合、あるいは前記フィルタ処理フラグ及びハーフドットフラグがＯＮで、注目画素を含む予め決められたウィンドウ内の画素データの配置と予め準備されたパターンとのパターンマッチングが取れない場合には、該注目画素の画素データの値を維持して複数の画素の画素データに置き換える。
【手続補正５】
【補正対象書類名】明細書
【補正対象項目名】００１６
【補正方法】変更
【補正の内容】
【００１６】
また、前記第２解像度の多値画像から前記第１解像度の多値画像への復元では、注目画素に対応して出力する出力画素数を算出し、前記フィルタ処理フラグ及びハーフドットフラグがＯＮで、注目画素を含む予め決められたウィンドウ内の画素データの配置と予め準備されたパターンとのパターンマッチングが取れた場合には、該注目画素が該予め準備されたパターンに対応付けられた複数の画素の出力順位に対応して前記出力画素数だけの画素データに置き換え、前記フィルタ処理フラグ及びハーフドットフラグがＯＮで、注目画素を含む予め決められたウィンドウ内の画素データの配置と予め準備されたパターンとのパターンマッチングが取れない場合には、該注目画素の周辺画素の画素データに対応して複数の画素の出力順位を設定し、該出力順位に対応して前記出力画素数だけの画素データに置き換え、前記フィルタ処理フラグがＯＦＦ又はハーフドットフラグがＯＦＦの場合には、該注目画素の画素データの値を維持して複数の画素の画素データに置き換える。前記出力画素数は、注目画素の画素データと、最大画素値と最低画素値との間を置き換える画素数に対応する数の範囲に分けて各範囲に割り当てられた、複数の閾値との比較から算出される。
【手続補正６】
【補正対象書類名】明細書
【補正対象項目名】００１７
【補正方法】変更
【補正の内容】
【００１７】
また、前記第２解像度の多値画像から前記第１解像度の多値画像への復元では、更に、前記フィルタ処理フラグとハーフドットフラグとに基づいて画像の背景領域の画素値と画像中の最大画素値とを抽出して、注目画素のフィルタ処理フラグとハーフドットフラグとに基づいて、該注目画素を背景領域の画素値と画像中の最大画素値とハーフドットの画素値との３値に変換し、該３値のウィンドウパターンと予め準備されたパターンとのパターンマッチングを取る。前記第１解像度は、前記第２解像度の整数倍である。
【手続補正７】
【補正対象書類名】明細書
【補正対象項目名】００１８
【補正方法】変更
【補正の内容】
【００１８】
また、本発明の画像処理装置は、第１解像度の多値画像を前記第１解像度より低い第２解像度の多値画像に変換した後に、前記第２解像度の多値画像から前記第１解像度の多値画像を復元する画像処理装置であって、前記第１解像度の多値画像から前記第２解像度の多値画像への変換では、変換前の画素が位置する像域を表わす属性フラグに対応する変換を施した注目画素の画素データに対応付けて、変換の種別と変換結果を示す変換処理フラグを含む属性データを生成して保持する解像度変換手段と、前記第２解像度の多値画像から前記第１解像度の多値画像への復元では、注目画素の画素データに対応付けて保持された属性データの変換処理フラグと該注目画素の周囲の画素の画素データとに対応して、該注目画素の画素データを複数画素からなる画素データに置き換える解像度復元手段とを有することを特徴とする。
【手続補正８】
【補正対象書類名】明細書
【補正対象項目名】００１９
【補正方法】変更
【補正の内容】
【００１９】
また、本発明の画像処理方法は、第１解像度の多値画像を前記第１解像度より低い第２解像度の多値画像に変換する画像処理方法であって、変換前の画素が位置する像域を表わす属性フラグに対応する変換を施した注目画素の画素データに対応付けて、変換の種別と変換結果を示す変換処理フラグを含む属性データを生成して保持することを特徴とする。
また、本発明の画像処理装置は、第１解像度の多値画像を前記第１解像度より低い第２解像度の多値画像に変換する画像処理装置であって、変換前の画素が位置する像域を表わす属性フラグに対応する変換を施した注目画素の画素データに対応付けて、変換の種別と変換結果を示す変換処理フラグを含む属性データを生成して保持する解像度変換手段を有することを特徴とする。
【手続補正９】
【補正対象書類名】明細書
【補正対象項目名】００２０
【補正方法】変更
【補正の内容】
【００２０】
更に、上記画像処理方法をコンピュータに実行させるためのプログラム、及び該プログラムを記憶したコンピュータが読み出し可能な記憶媒体を提供する。